(57)【特許請求の範囲】
【請求項１】
透液性表面シートと、不透液性裏面シートと、前記表裏面シートの間に介在する吸液性コアとから構成され、互いに並行して縦方向へ延びる両側縁部と、互いに並行して横方向へ延びる両端縁部とを有し、縦方向に前胴周り域および後胴周り域と、前記前後胴周り域の間に位置する股下域とを有する使い捨ておむつにおいて、
前記おむつの内面の側で開口する開口部が、前記コアが位置する前記後胴周り域と前記股下域との横方向中央に画成され、前記開口部が、縦方向へ所要の寸法離間して横方向に延びていて前記おむつの内面から上方へ隆起する一対のクッション性パッド部材と、横方向へ所要の寸法離間して縦方向に延びていて前記おむつの内面から上方へ起立性向を有する一対の液抵抗性側部シートとから形成され、
前記側部シート各々が、前記おむつの内面に固着されて縦方向へ延びる固定側部と、前記固定側部よりも横方向内方に位置して前記パッド部材の間を縦方向へ延びる自由側部と、前記パッド部材各々の横方向両端部につながって前記おむつの内面に固着された前後端部とを有し、前記自由側部が、縦方向へ弾性的な伸縮性を有し、
前記パッド部材の中央部が、最も高く作られて前記側部シートの自由側部を超える高さを有し、前記パッド部材が、前記中央部から該パッド部材の周縁へ向って下り勾配に形成されていることを特徴とする前記おむつ。
【請求項２】
前記後胴周り域寄りに位置する前記パッド部材が、前記後胴周り域の端縁部の側に位置して横方向へ延びる底辺部と、互いに離間並行して前記底辺部から前記股下域へ向って延び、互いの離間寸法が前記股下域へ向かって次第に近づく一対の斜辺部とを有し、前記斜辺部各々が、前記おむつの両端縁部の間の寸法を二分して縦方向へ延びる縦中心線近傍で交差している請求項１記載のおむつ。
【請求項３】
前記股下域寄りに位置する前記パッド部材が、前記前胴周りの側に位置して前記横方向へ延びる底辺部と、互いに離間並行して前記底辺部から前記後胴周り域へ向って延び、互いの離間寸法が前記後胴周り域へ向い次第に近づく一対の斜辺部とを有し、前記斜辺部各々が、前記縦中心線近傍で交差している請求項１または請求項２に記載のおむつ。
【請求項４】
前記パッド部材が、液吸収性の弾性材と、前記弾性材の表面を包被する透液性の不織布とから形成されている請求項１ないし請求項３いずれかに記載のおむつ。
【発明の詳細な説明】
【０００１】
【発明の属する技術分野】
本発明は、排泄物を吸収、保持する使い捨ておむつに関する。
【０００２】
【従来の技術】
実開平６−１１７２３号公報は、透液性第１表面シートと、不透液性裏面シートと、それらシートの間に介在する吸液性コアと、第１表面シートの外面に位置して縦方向両端部が第１表面シートに固着された液抵抗性第２表面シートとから構成された使い捨ておむつを開示している。第２表面シートには、その縦方向中央領域に開口部が形成され、開口部の周辺に縦方向へ所要の寸法離間して横方向へ延びる複数の弾性部材が伸長状態で取り付けられている。おむつでは、それら弾性部材の収縮によって開口部が横方向へ拡開する。おむつは、開口部内に大便を収容して大便の流動拡散を防止することができる。
【０００３】
【発明が解決しようとする課題】
同号公報に開示のおむつは、開口部内に排泄された尿と便とを分離することができないので、第１表面シートの外面を流動する尿と軟便、水様便とが混じり合ってしまったり、固形の便であっても尿と混じり合って軟便化してしまうことがある。
【０００４】
本発明の課題は、排泄された尿と便とが混じり合ってしまうことを防ぎつつ、それら排泄物を吸収、保持することができる使い捨ておむつを提供することにある。
【０００５】
【課題を解決するための手段】
前述した課題を解決するための本発明は、透液性表面シートと、不透液性裏面シートと、前記表裏面シートの間に介在する吸液性コアとから構成され、互いに並行して縦方向へ延びる両側縁部と、互いに並行して横方向へ延びる両端縁部とを有し、縦方向に前胴周り域および後胴周り域と、前記前後胴周り域の間に位置する股下域とを有する使い捨ておむつを改良することにある。
【０００６】
改良にかかる本発明の特徴は、前記おむつの内面の側で開口する開口部が、前記コアが位置する前記後胴周り域と前記股下域との横方向中央に画成され、前記開口部が、縦方向へ所要の寸法離間して横方向に延びていて前記おむつの内面から上方へ隆起する一対のクッション性パッド部材と、横方向へ所要の寸法離間して縦方向に延びていて前記おむつの内面から上方へ起立性向を有する一対の液抵抗性側部シートとから形成され、前記側部シート各々が、前記おむつの内面に固着されて縦方向へ延びる固定側部と、前記固定側部よりも横方向内方に位置して前記パッド部材の間を縦方向へ延びる自由側部と、前記パッド部材各々の横方向両端部につながって前記おむつの内面に固着された前後端部とを有し、前記自由側部が、縦方向へ弾性的な伸縮性を有し、前記パッド部材の中央部が、最も高く作られて前記側部シートの自由側部を超える高さを有し、前記パッド部材が、前記中央部から該パッド部材の周縁へ向って下り勾配に形成されていることにある。
【０００７】
本発明の実施の態様の一例として、前記後胴周り域寄りに位置する前記パッド部材が、前記後胴周り域の端縁部の側に位置して横方向へ延びる底辺部と、互いに離間並行して前記底辺部から前記股下域へ向って延び、互いの離間寸法が前記股下域へ向かって次第に近づく一対の斜辺部とを有し、前記斜辺部各々が、前記おむつの両端縁部の間の寸法を二分して縦方向へ延びる縦中心線近傍で交差している。
【０００８】
本発明の実施の態様の他の一例としては、前記股下域寄りに位置する前記パッド部材が、前記前胴周りの側に位置して前記横方向へ延びる底辺部と、互いに離間並行して前記底辺部から前記後胴周り域へ向って延び、互いの離間寸法が前記後胴周り域へ向い次第に近づく一対の斜辺部とを有し、前記斜辺部各々が、前記縦中心線近傍で交差している。
【０００９】
本発明の実施の態様の他の一例としては、前記パッド部材が、液吸収性の弾性材と、前記弾性材の表面を包被する透液性の不織布とから形成されている。
【００１０】
【００１１】
【発明の実施の形態】
添付の図面を参照して、本発明に係る使い捨ておむつの詳細を説明すると、以下のとおりである。
【００１２】
図１は、使い捨ておむつ１の部分破断斜視図である。おむつ１は、透液性表面シート２と、不透液性裏面シート３と、表面シート２と裏面シート３との間に介在する吸液性コア４とを基本構成部材とする。おむつ１は、縦方向に前胴周り域２０および後胴周り域２２と、前後胴周り域２０，２２の間に位置する股下域２１とを有する。おむつ１は、互いに並行して縦方向へ延び、股下域２１においておむつ１の内方へ向かって弧を画く両側縁部１ａと、互いに並行して横方向へ延びる両端縁部１ｂとを有する。おむつ１の両側縁部１ａには、互いに離間並行して縦方向へ延びる一対の液抵抗性防漏カフ５が取り付けられている。
【００１３】
コア４が位置する股下域２１と後胴周り域２２との横方向中央には、おむつ１の内面の側で開口する開口部８が画成されている。開口部８は、おむつ１の内面から上方へ隆起して横方向へ延びる一対のクッション性パッド部材６Ａ，６Ｂと、おむつ１の内面から上方へ起立性向を有して縦方向へ延びる一対の液抵抗性側部シート７とから形成されている。
【００１４】
パッド部材６Ａ，６Ｂ各々は、防漏カフ５の内側に位置して縦方向へ所要の寸法離間し、股下域２１と後胴周り域２２とにおけるコア４の上部に配置されている。パッド部材６Ａ，６Ｂ各々は、その中央部６ａが最も高く作られ、中央部６ａからパッド部材６Ａ，６Ｂの周縁へ向って下り勾配に形成されている。中央部６ａは、側部シート７の後記する自由端部７ｂを越える高さＬ３を有する（図２参照）。
【００１５】
後胴周り域２２に配置されたパッド部材６Ａは、後胴周り域２２における端縁部１ｂの側に位置して横方向へ延びる底辺部６ｂと、互いに離間並行して底辺部６ｂから股下域２１へ向って延び、互いの離間寸法が股下域２１へ向かって次第に近づく一対の斜辺部６ｃと、底辺部６ｂと斜辺部６ｃとが交差する横方向両端部６ｄとを有する。斜辺部６ｃ各々は、おむつ１の両端縁部１ｂの間の寸法を二分して縦方向へ延びる縦中心線Ｘ近傍で交差している。パッド部材６Ａは、後胴周り域２２における端縁部１ｂからパッド部材６Ａの底辺部６ｂまでの寸法Ｌ１が６０〜１２０ｍｍの範囲にあることが好ましく、より好ましくは８０〜１００ｍｍの範囲である。
【００１６】
股下域２１に配置されたパッド部材６Ｂは、前胴周り域２０の側に位置して横方向へ延びる底辺部６ｂと、互いに離間並行して底辺部６ｂから後胴周り域２２へ向って延び、互いの離間寸法が後胴周り域２２へ向かって次第に近づく一対の斜辺部６ｃと、底辺部６ｂと斜辺部６ｃとが交差する横方向両端部６ｄとを有する。斜辺部６ｃ各々は、縦中心線Ｘ近傍で交差している。パッド部材６Ａ，６Ｂ各々は、底辺部６ｂの寸法Ｌ２が５０〜８０ｍｍの範囲にあることが好ましい。
【００１７】
側部シート７各々は、防漏カフ５の内側に位置して横方向へ所要の寸法離間し、パッド部材６Ａ，６Ｂ各々の横方向両端部６ｄにつながっている。側部シート７は、表面シート２の外面に固着されて縦方向へ延びる固定側部７ａと、固定側部７ａよりも横方向内方に位置し、パッド部材６Ａ，６Ｂ各々の間を縦方向へ延びる自由側部７ｂと、パッド部材６Ａ，６Ｂ各々の横方向両端部６ｄを被覆する前後端部７ｃとを有する。前後端部７ｃは、おむつ１の内方へ倒伏された状態で、パッド部材６Ａ，６Ｂの横方向両端部６ｄと表面シート２の外面とに固着されている。自由側部７ｂには、縦方向へ延びる弾性伸縮性部材９が自由側部７ｂの一部に被覆された状態で伸長下に取り付けられている。
【００１８】
防漏カフ５は、コア４の両側縁部４ａ近傍に位置し、表面シート２の外面に固着されて縦方向へ延びる固定側部５ａと、股下域２１に位置しておむつ１の横方向内方へ向って延び、おむつ１の上方へ起立性向を有する自由側部５ｂと、おむつ１の横方向内方へ倒伏された状態で、前後胴周り域２０，２２に位置する表面シート２の外面に接合された前後端部５ｃとを有する。防漏カフ５の自由側部５ｂには、縦方向へ延びる弾性伸縮性部材１０が自由側部５ｂの一部に被覆された状態で伸長下に取り付けられている。
【００１９】
おむつ１の両側縁部１ａには、縦方向へ延びる糸状の脚周り用弾性部材１１が伸長状態で取り付けられている。おむつ１の両端縁部１ｂには、横方向へ延びるフィルム状の胴周り用弾性部材１２が伸長状態で取り付けられている。後胴周り域２２におけるおむつ１の両側縁部１ａには、横方向内方へ延びるテープファスナ１３の基端部が取り付けられている。前胴周り域２０における裏面シート３の外面には、テープファスナ１３の止着域となる矩形のターゲットテープ１４が取り付けられている。
【００２０】
図１では、おむつ１がその内面を内側にして縦方向へ湾曲し、弾性部材９，１０，１１，１２各々の伸長状態が解除され、側部シート７各々の自由側部７ｂと防漏カフ５各々の自由側部５ｂとおむつ１の両側縁部１ａとおむつ１の両端縁部１ｂとに沿ってギャザーが形成されている。おむつ１では、側部シート７と表面シート２とがおむつ１の横方向内方へ向かって開口するポケットＰ１を形成し、防漏カフ５と表面シート２とがおむつ１の横方向内方へ向って開口するポケットＰ２を形成している。
【００２１】
おむつ１では、テープファスナ１３の自由端部の内面に塗布された粘着剤を介して、ターゲットテープ１４にテープファスナ１３を止着すると、左右一対の脚周り開口と、胴周り開口とが形成される（図示せず）。
【００２２】
図２，３は、図１のＡ−Ａ線断面図と、図１のＢ−Ｂ線矢視断面を示すおむつ１の斜視図とである。パッド部材６Ａ，６Ｂは、液吸収性の弾性材１５と、透液性の不織布１６とから形成され、不織布１６が弾性材１５の表面を包被している。パッド部材６Ａ，６Ｂは、その底面が表面シート２の外面に固着されている。パッド部材６Ａ，６Ｂ各々は、底面から中央部６ａまでの高さＬ３が１０〜３０ｍｍの範囲にあることが好ましく、パッド部材６Ａ，６Ｂの圧縮弾性回復率がコア４のそれよりも高く、その圧縮弾性回復率が５０％以上であることが好ましい。
【００２３】
おむつ１では、図２に示すように、表面シート２の両側縁部２ａがコア４の両側縁部４ａから横方向外方へわずかに延び、裏面シート３の両側縁部３ａと防漏カフ５の外側部分５ｄとが表面シート２の両側縁部２ａからさらに横方向外方へ延びている。表面シート２の両側縁部２ａは、裏面シート３の両側縁部３ａと防漏カフ５の外側部分５ｄとの間に介在し、裏面シート３と防漏カフ５とのうちの少なくとも一方の内面に固着されている。裏面シート３の両側縁部３ａと防漏カフ５の外側部分５ｄとは、それらが互いに重なり合った状態で固着されている。
【００２４】
脚周り用弾性部材１１は、裏面シート３の両側縁部３ａと防漏カフ５の外側部分５ｄとの間に介在し、裏面シート３と防漏カフ５とのうちの少なくとも一方の内面に取り付けられている。胴周り用弾性部材１２は、表面シート２と裏面シート３との間に介在し、それらシート２，３のうちの少なくとも一方の内面に取り付けられている。コア４は、表面シート２と裏面シート３とのうちの少なくとも一方の内面に接合されている。
【００２５】
図４は、着用した状態で示すおむつ１の側面図であり、着用者を仮想線で示す。おむつ１は、後胴周り域２２に位置するパッド部材６Ａが着用者の尾骨に当接し、股下域２１に位置するパッド部材６Ｂが着用者の股下に当接している。おむつ１では、開口部８内に排泄された便が表面シート２を通してコア４に吸収され、おむつ１の前胴周り域に排泄された尿が表面シート２を通してコア４に吸収される。尿が表面シート２の外面で拡散し、前胴周り域２０から後胴周り域２２へ流動したとしても、パッド部材６と側部シート７とが障壁となり尿が開口部８内に流入することはない。ゆえに、尿と便とが混じり合うことを防ぐことができる。防漏カフ５と側部シート７との間では、表面シート２が露出しているので、防漏カフ５と側部シート７との間を流動する尿を股下域２１や後胴周り域２２においても吸収することができる。
【００２６】
パッド部材６Ａ，６Ｂ各々は、その中央部６ａが最も高く、パッド６Ａ，６Ｂの周縁に向い下り勾配に形成され、底辺部６ｂと斜辺部６ｃとを有する略山型のものなので、着用者の尾骨に当接するパッド部材６Ａが尾骨の凹部に適合することができ、着用者の股下に当接するパッド部材６Ｂが股下の形状に適合することができる。ゆえに、おむつ１と着用者の肌との間に尿や便の流動を許すような隙間が形成されることを防ぐことができる。また、パッド部材６Ａ，６Ｂ各々は、クッション性に富み、底辺部６ｂと斜辺部６ｃと横方向両端部６ｄとにおいて嵩張ることがなく、おむつ１を着用したときの違和感がない。
【００２７】
おむつ１では、パッド部材６Ａ，６Ｂを乗り越えようとする排泄物をパッド部材６Ａ，６Ｂ各々が吸収することができるので、尿と便とが混ざり合ってしまうことを一層有効に防止することができる。パッド部材６Ａ，６Ｂに吸収された排泄物は、パッド部材６Ａ，６Ｂから表面シート２を通してコア４に吸収される。
【００２８】
パッド部材６Ａ，６Ｂを構成する弾性材１５としては、オープンセルタイプのポリウレタンフォームが柔軟性、液吸収性において好ましい。ポリウレタンフォームの他には、複数の連続フィラメントのトウを開繊し、その後棒状に収束させたトウを所要の長さに切断したもの、親水性でクリンプを有する繊維の単なる集合物や繊維がゆるく交絡した不織布を使用することもできる。
【００２９】
表面シート２には、不織布や開孔プラスチックフィルム等の透液性のシート、好ましくは透液性であって親水性のシートが使用される。裏面シート３には、疎水性不織布、不透液性のプラスチックフィルムまたは疎水性不織布とプラスチックフィルムとのラミネートシート、好ましくは通気不透液性のシートが使用される。防漏カフ５と側部シート７とには、通気不透液性の不織布が使用される。
【００３０】
不織布としては、スパンレース、ニードルパンチ、メルトブローン、サーマルボンド、スパンポンド、ケミカルボンド等の不織布を使用することができる。また、裏面シート３と防漏カフ５と側部シート７とには、高い耐水性を有するメルトブローン不織布の両シート面を、高い強度を有しかつ柔軟性に富んだスパンボンド不織布のシート面で挟んだ複合不織布（ＳＭＳ不織布）を使用することもできる。不織布の構成繊維としては、ポリオレフィン系、ポリエステル系、ポリアミド系、の各繊維、ポリエチレン／ポリプロピレンまたはポリエステルの複合繊維等を使用することができる。
【００３１】
コア４は、フラッフパルプと高吸収性ポリマー粒子との混合物であり、所要の厚みに圧縮され、全体がティシュペーパ等の透水性シート（図示せず）によって被覆されている。コア４の接合や弾性部材９，１０，１１，１２の取り付け、シート２，３，５，７の固着には、ホットメルト接着剤等の接着剤や粘着剤、または、熱溶着の技術を利用することができる。
【００３２】
この発明は、図に示す開放型のおむつ１の他に、前後胴周り域の両側縁部を予め固着したパンツ型のおむつでも適用可能である。
【００３３】
【発明の効果】
本発明に係る使い捨ておむつによれば、パッド部材と側部シートとがおむつの内面で開口する開口部を画成し、排泄された便が開口部内に収容される。このおむつは、パッド部材と側部シートとが障壁となるので、開口部内へ尿が流入することや開口部外へ便が流出することはなく、排泄された尿と便とが混じり合ってしまうことを防ぐことができる。
【００３４】
おむつでは、後胴周り域に位置して着用者の尾骨に当接するパッド部材が尾骨の凹部に適合することができ、股下域に位置して着用者の股下に当接するパッド部材が股下の形状に適合することができる。ゆえに、おむつと着用者の肌との間に尿や便の流動を許すような隙間が形成されることを防ぐことができる。おむつでは、パッド部材各々がクッション性に富み、底辺部と斜辺部と横方向両端部とにおいて嵩張ることがないので、おむつを着用したときの違和感がない。
【図面の簡単な説明】
【図１】使い捨ておむつの部分破断斜視図。
【図２】図１のＡ−Ａ線矢視断面図。
【図３】図１のＢ−Ｂ線矢視断面図。
【図４】着用した状態で示すおむつの側面図。
【符号の説明】
１          使い捨ておむつ
１ａ        両側縁部
１ｂ        両端縁部
２          透液性表面シート
３          不透液性裏面シート
４          吸液性コア
６Ａ，６Ｂ  クッション性パッド部材
６ａ        中央部
６ｂ        底辺部
６ｃ        斜辺部
６ｄ        横方向両端部
７          液抵抗性側部シート
７ａ        固定側部
７ｂ        自由側部
７ｃ        前後端部
８          開口部
１５          弾性材
１６          不織布
２０          前胴周り域
２１          股下域
２２          後胴周り域
Ｌ３          高さ
Ｘ          縦中心線
【図１】
0003541157.tif 000002
【図２】
0003541157.tif 000003
【図３】
0003541157.tif 000004
【図４】
0003541157.tif 000005